(57)【要約】      （修正有）【課題】上胴体部と下胴体部とを相互ジグザグ状に左右に密着回転させて容器の高低を容易に調節することができ、容器を保管する冷蔵庫や収納キャビネットなどの空間活用度を高めることができる高さ調節が可能な容器を提供する。【解決手段】内側又は外側に上下方向に沿って順次対称に傾斜する形態で配列された複数のガイド溝１４及び各ガイド溝の端部の外側方向に一体に延長され、上下に交互に配置された複数の固定溝１６を含む高さ調節部を有する第１の胴体部１０と、第１の胴体部の内側又は外側に結合され、各ガイド溝に沿ってガイドされるガイド突起２２を備えた第２の胴体部２０とを含み、第１の胴体部と第２の胴体部との間の高低を調節するとき、第２の胴体部のガイド突起が第１の胴体部の複数のガイド溝に沿って左右交互に回転するように構成されている。【選択図】図１
0003211582.tif 000002
【実用新案登録請求の範囲】
【請求項１】
内側又は外側に上下方向に沿って順次対称に傾斜する形態で配列された複数のガイド溝及び前記各ガイド溝の端部の外側方向に一体に延長され、上下に交互に配置された複数の固定溝を含む高さ調節部を有する第１の胴体部と、
前記第１の胴体部の内側又は外側に結合され、前記各ガイド溝に沿ってガイドされるガイド突起を備えた第２の胴体部とを含んでなり、前記第１の胴体部と前記第２の胴体部との間の高低を調節するとき、前記第２の胴体部の前記ガイド突起が前記第１の胴体部の複数の前記ガイド溝に沿って左右交互に回転するように構成されていることを特徴とする高さ調節が可能な容器。
【請求項２】
前記第２の胴体部の前記ガイド突起が前記ガイド溝に沿って左右密着回転によってガイドされ、前記各ガイド溝の端部に交互に対称になるように配置された前記複数の固定溝のうちいずれか１つに固定されることによって、前記第１の胴体部と前記第２の胴体部との間の高低が調節されることを特徴とする請求項１に記載の高さ調節が可能な容器。
【請求項３】
複数の前記ガイド溝は、ジグザグ状に配列され、相互一体に連結されていることを特徴とする請求項１に記載の高さ調節が可能な容器。
【請求項４】
前記ガイド溝と前記固定溝とは、相互鈍角に連結されていることを特徴とする請求項１に記載の高さ調節が可能な容器。
【請求項５】
最下側又は最上側の前記ガイド溝は、垂直ガイド溝に連通して前記第１の胴体部の下端部又は上端部まで延長されていることを特徴とする請求項１に記載の高さ調節が可能な容器。
【請求項６】
前記高さ調節部は、陽刻状に前記第１の胴体部に突出したり、又は陰刻状に前記第１の胴体部に凹設されていることを特徴とする請求項１に記載の高さ調節が可能な容器。
【請求項７】
前記第１の胴体部と前記第２の胴体部との間には、中間胴体部がさらに備えられ、前記第１の胴体部と前記中間胴体部とが結合されるとき、前記第１の胴体部の前記高さ調節部と対向する前記中間胴体部の一側には、前記ガイド突起と同一に形成された中間突起が備えられて前記中間突起が前記高さ調節部に沿ってガイドされ、
前記第２の胴体部と前記中間胴体部とが結合されるとき、前記ガイド突起と対向する前記中間胴体部の他側には、前記高さ調節部と同一な形状に形成された中間調節部が備えられて前記ガイド突起が前記中間調節部に沿ってガイドされるように構成されていることを特徴とする請求項１に記載の高さ調節が可能な容器。
【請求項８】
前記第１の胴体部と前記第２の胴体部との間の隙間を密閉させるパッキングを含むことを特徴とする請求項１に記載の高さ調節が可能な容器。
【請求項９】
前記第１の胴体部の外側に前記第２の胴体部が結合される場合、前記パッキングは、前記第１の胴体部の外側に装着されることを特徴とする請求項８に記載の高さ調節が可能な容器。
【請求項１０】
前記第１の胴体部の内側に前記第２の胴体部が結合される場合、前記パッキングは、前記第２の胴体部の外側に装着されることを特徴とする請求項８に記載の高さ調節が可能な容器。
【請求項１１】
前記第１の胴体部又は前記第２の胴体部には、前記パッキングが挿入されるようにパッキング設置溝が形成されていることを特徴とする請求項８に記載の高さ調節が可能な容器。 
【請求項１２】
前記第１の胴体部の外側に前記第２の胴体部が結合される場合、前記パッキング設置溝は、前記第１の胴体部の外側に形成され、最上側の前記ガイド溝及び前記固定溝よりも上側に位置することを特徴とする請求項１１に記載の高さ調節が可能な容器。 
【請求項１３】
前記第１の胴体部の内側に前記第２の胴体部が結合される場合、前記パッキング設置溝は、前記第２の胴体部の外側下端部に位置することを特徴とする請求項１１に記載の高さ調節が可能な容器。 
【請求項１４】
前記第２の胴体部の一端に結合される容器蓋をさらに含むことを特徴とする請求項１に記載の高さ調節が可能な容器。
【請求項１５】
前記第２の胴体部の一端外周縁を沿って形成された複数の結合突出部と、前記容器蓋の外周縁に沿ってその外側に延長され、前記結合突出部方向に移動可能に形成された複数の結合案内部をさらに含み、
前記結合案内部には、結合案内孔が形成され、前記結合案内部が前記結合突出部方向に移動すると、前記結合案内孔に前記結合突出部が挿入結合されることを特徴とする請求項１４に記載の高さ調節が可能な容器。
【請求項１６】
前記容器蓋と第２の胴体部との間に配置される蓋パッキングを含み、前記容器蓋は内周面に形成され、前記蓋パッキングが固定される安着溝を含むことを特徴とする請求項１４に記載の高さ調節が可能な容器。
【請求項１７】
前記容器蓋の上面に形成された貫通孔と、前記貫通孔を開閉する補助キャップとをさらに含むことを特徴とする請求項１４に記載の高さ調節が可能な容器。
【請求項１８】
前記ガイド突起が前記固定溝に固定されるとき、前記固定溝には、前記ガイド突起の移動を制限するためにストッパーが突出形成されることを特徴とする請求項１に記載の高さ調節が可能な容器。 
【請求項１９】
相互隣接する前記ガイド溝と前記固定溝の下側とを相互連結する下側連結部と、相互隣接する前記ガイド溝と前記固定溝の上側とを相互連結する上側連結部とをさらに含み、
前記下側連結部と前記上側連結部とは、相互に向き合わないように位置することを特徴とする請求項１に記載の高さ調節が可能な容器。
【請求項２０】
前記下側連結部は、前記上側連結部よりも前記ガイド溝と近くなるように位置することを特徴とする請求項１９に記載の高さ調節が可能な容器。
【請求項２１】
前記上側連結部は、前記下側連結部よりも前記ガイド溝と近くなるように位置することを特徴とする請求項１９に記載の高さ調節が可能な容器。
【考案の詳細な説明】
【技術分野】
【０００１】
本考案は、高さ調節が可能な容器に関し、より詳細には、上胴体部と下胴体部を相互にジグザグ状に左右に密着回転させて容器の高低を容易に調節することができる高さ調節が可能な容器に関する。
【背景技術】
【０００２】
一般に、各種食べ物や食材などは、様々なサイズ及び形状を有する容器に収納された状態で保管される。
【０００３】
この際、各種食べ物や食材などを保管する容器は、保管しようとするその量に応じて様々なサイズのものを用意する必要があり、それに伴ってその容器を収納するための充分なスペースが必要である。
【０００４】
なお、保管した食べ物や食材などの量が少なくなった場合は、容器の保管場所である冷蔵庫などの空間活用度を高めるために、小さい容器に移し替えなければならないという問題点がある。
【０００５】
一方、特許文献１には、保管する食べ物の量に応じて容器内部の体積を調節できる「スペースが調節できる容器」が開示されているが、当該容器は、その外部の形態が同一に維持された状態で、その内部の体積のみが調節できる構造であるため、容器を使用しないときや容器に少量の食べ物を入れた状態で冷蔵庫などに保管する場合は、その空間活用性が低下するという問題点がある。
【先行技術文献】
【特許文献】
【０００６】
【特許文献１】韓国登録特許第１０−１２１８２５８号公報
【考案の概要】
【考案が解決しようとする課題】
【０００７】
本考案は、上記のような問題点を解決するためになされたものであって、本考案の目的は、容器の高低の調節を可能にすることにより、当該容器を保管する冷蔵庫や収納キャビネットなどの空間活用度をより向上させることができる高さ調節が可能な容器を提供することである。
【０００８】
なお、本考案の他の目的は、容器の高低を調節する過程において、容器に急に外部圧力が加えられても、容器の全体高さが任意に急激に変更されないようにする高さ調節が可能な容器を提供することである。
【課題を解決するための手段】
【０００９】
上記の目的を達成するために、本考案は、内側又は外側に上下方向に沿って順次対称的に傾斜する形態で配列された複数のガイド溝及び前記各ガイド溝の端部の外側方向に一体に延長され、上下に交互に配置された複数の固定溝を含む高さ調節部を有する第１の胴体部と、前記第１の胴体部の内側又は外側に結合され、前記各ガイド溝に沿ってガイドされるガイド突起を備える第２の胴体部とを含んでなり、前記第１の胴体部と前記第２の胴体部との間の高低を調節するとき、前記第２の胴体部の前記ガイド突起が前記第１の胴体部の複数の前記ガイド溝に沿って左右交互に回転するように構成されていることを特徴とする高さ調節が可能な容器を提供する。
【００１０】
又、前記第２の胴体部の前記ガイド突起が、前記ガイド溝に沿って左右密着回転によってガイドされ、前記各ガイド溝の端部に交互に対称になるように配置された前記複数の固定溝のうちいずれかに固定されることによって、前記第１の胴体部と前記第２の胴体部との間の高低が調節されることを特徴とする高さ調節が可能な容器を提供する。
【００１１】
なお、複数の前記ガイド溝は、ジグザグ状に配列され、相互一体に連結されていることを特徴とする高さ調節が可能な容器を提供する。
【００１２】
なお、前記ガイド溝と前記固定溝は、相互鈍角に連結されていることを特徴とする高さ調節が可能な容器を提供する。
【００１３】
なお、最下側又は最上側の前記ガイド溝は、垂直ガイド溝に連通して前記第１の胴体部の下端部又は上端部まで延長されていることを特徴とする高さ調節が可能な容器を提供する。
【００１４】
なお、前記高さ調節部は、陽刻状に前記第１の胴体部に突出したり、又は陰刻状に前記第１の胴体部に凹設されていることを特徴とする高さ調節が可能な容器を提供する。
【００１５】
なお、前記第１の胴体部と前記第２の胴体部との間には、中間胴体部がさらに備えられ、前記第１の胴体部と前記中間胴体部とが結合されるとき、前記第１の胴体部の前記高さ調節部と対向する前記中間胴体部の一側には、前記ガイド突起と同一に形成される中間突起が備えられて前記中間突起が前記高さ調節部に沿ってガイドされ、前記第２の胴体部と前記中間胴体部とが結合されるとき、前記ガイド突起と対向する前記中間胴体部の他側には、前記高さ調節部と同一な形状に形成される中間調節部が備えられて前記ガイド突起が前記中間調節部に沿ってガイドされるように構成されていることを特徴とする高さ調節が可能な容器を提供する。
【００１６】
なお、前記第１の胴体部と前記第２の胴体部との間の隙間を密閉するパッキングを含むことを特徴とする高さ調節が可能な容器を提供する。
【００１７】
なお、前記第１の胴体部の外側に前記第２の胴体部が結合される場合、前記パッキングは、前記第１の胴体部の外側に装着されることを特徴とする高さ調節が可能な容器を提供する。
【００１８】
なお、前記第１の胴体部の内側に前記第２の胴体部が結合される場合、前記パッキングは、前記第２の胴体部の外側に装着されることを特徴とする高さ調節が可能な容器を提供する。
【００１９】
なお、前記第１の胴体部又は前記第２の胴体部には、前記パッキングが挿入されるようにパッキング設置溝が形成されていることを特徴とする高さ調節が可能な容器を提供する。
【００２０】
なお、前記第１の胴体部の外側に前記第２の胴体部が結合される場合、前記パッキング設置溝は、前記第１の胴体部の外側に形成され、最上側の前記ガイド溝及び前記固定溝よりも上側に位置することを特徴とする高さ調節が可能な容器を提供する。
【００２１】
なお、前記第１の胴体部の内側に前記第２の胴体部が結合される場合、前記パッキング設置溝は、前記第２の胴体部の外側下端部に位置することを特徴とする高さ調節が可能な容器を提供する。
【００２２】
なお、前記第２の胴体部の一端に結合される容器蓋をさらに含むことを特徴とする高さ調節が可能な容器を提供する。
【００２３】
なお、前記第２の胴体部の一端の外周縁に沿って形成される複数の結合突出部と、前記容器蓋の外周縁に沿ってその外側に延長され、前記結合突出部方向に移動可能に形成される複数の結合案内部をさらに含み、前記結合案内部には結合案内孔が形成され、前記結合案内部が前記結合突出部方向に移動すると、前記結合案内孔に前記結合突出部が挿入結合されることを特徴とする高さ調節が可能な容器を提供する。
【００２４】
なお、前記容器蓋と第２の胴体部との間に配置される蓋パッキングを含み、前記容器蓋は内周面に形成され、前記蓋パッキングが固定される安着溝を含むことを特徴とする高さ調節が可能な容器を提供する。
【００２５】
なお、前記容器蓋の上面に形成された貫通孔と、前記貫通孔を開閉する補助キャップとをさらに含むことを特徴とする高さ調節が可能な容器を提供する。
【００２６】
なお、前記ガイド突起が前記固定溝に固定されるとき、前記固定溝には、前記ガイド突起の移動を制限するためにストッパーが突出形成されていることを特徴とする高さ調節が可能な容器を提供する。
【００２７】
なお、相互隣接する前記ガイド溝と前記固定溝の下側とを相互連結する下側連結部と、相互隣接する前記ガイド溝と前記固定溝の上側とを相互連結する上側連結部とをさらに含み、前記下側連結部と前記上側連結部とは、相互に向き合わないように位置することを特徴とする高さ調節が可能な容器を提供する。
【００２８】
なお、前記下側連結部は、前記上側連結部よりも前記ガイド溝と近くなるように位置することを特徴とする高さ調節が可能な容器を提供する。
【００２９】
なお、前記上側連結部は、前記下側連結部よりも前記ガイド溝と近くなるように位置することを特徴とする高さ調節が可能な容器を提供する。
【考案の効果】
【００３０】
本考案は、容器の高低を調節可能にすることにより、当該容器を保管する冷蔵庫や収納キャビネットなどの空間活用度を高めることができる効果がある。
【００３１】
なお、容器の高低を調節するときに、第１の胴体部と第２の胴体部とを相互ジグザグ状に両方向に分割して左右に回転することにより、小さな力でも多段に高さ調節が可能な効果がある。
【００３２】
なお、容器の高低を調節するときに、第１の胴体部又は第２の胴体部がジグザグ状に傾斜するガイド溝に沿って時計回りと反時計回りに１回ずつ交差して左右に回転しながら下降しなければならないため、容器の高さが速い速度で変更されなく、容器に急に外部圧力が加えられても、容器の高さが任意に急激に変更されないようにする効果がある。
【００３３】
なお、第１の胴体部又は第２の胴体部に垂直圧力が加えられて容器の高低が調節されるときに、ガイド突起が傾斜するように形成されたガイド溝に沿って移動するので、ガイド突起とガイド溝との間に摩擦力が発生して前記垂直圧力が前記摩擦力によって一定部分が相殺されるので、容器の高さが任意に急激に変更されないようにする効果がある。
【００３４】
なお、第１の胴体部と第２の胴体部との間にパッキングを設置することにより、高さ調節のときに容器内部の内容物が外部に漏れることを防止することができる効果がある。
【００３５】
なお、第１の胴体部と第２の胴体部との間にパッキングが緊密に密着されているので、第１の胴体部又は第２の胴体部が任意に左右に回転したり、急上昇又は急下降する現象を防止することができる効果がある。
【００３６】
なお、前記ガイド溝及び固定溝の上下側を連結する上下側連結部を、垂直方向を基準に非対称に形成して容器が一方向性の非対称構造を有するようにすることにより、内容物の増加は容易であるが、その減少が難しい場合は、上方向への移動（高さの増加）が下方向への移動（高さの減少）よりも容易になるようにし、逆に内容物の増加は難しいが、その減少が容易な場合は、下方向への移動（高さの減少）が上方向への移動（高さの増加）よりも容易になる効果がある。
【００３７】
なお、第１の胴体部と第２の胴体部との間の高低を調節するときに、容器蓋を開放しない状態では容器内部が密閉されて高さの調節が容易でないが、本考案は、容器蓋に補助キャップを備えることにより、容器蓋を開放する手間が要らず、補助キャップを開けて容器内部の密閉状態を解除し容器の高さを容易に調節することができる効果がある。
【図面の簡単な説明】
【００３８】
【図１】本考案の第１の実施例に係る高さ調節が可能な容器の分解斜視図である。
【図２】本考案の第１の実施例に係る高さ調節が可能な容器の結合斜視図である。
【図３】本考案の第１の実施例に係る高さ調節が可能な容器の結合断面図である。
【図４】本考案の第１の実施例に係る高さ調節が可能な容器の動作状態を示す図である。
【図５】本考案の第１の実施例に係る高さ調節が可能な容器の動作状態を示す図である。
【図６】本考案の第１の実施例に係る高さ調節が可能な容器の動作状態を示す図である。
【図７】本考案の第２の実施例に係る高さ調節が可能な容器の分解斜視図である。
【図８】本考案の第３の実施例に係る高さ調節が可能な容器の分解斜視図である。
【図９】本考案の第３の実施例に係る高さ調節が可能な容器の結合斜視図である。
【図１０】本考案の第３の実施例に係る高さ調節が可能な容器の結合断面図である。
【図１１】本考案の第３の実施例に係る高さ調節が可能な容器のガイド溝、垂直ガイド溝及び固定溝の様々な断面形状を示す例示図である。
【図１２】上方向の左右回転によるガイド突起の移動状態を説明する概略的な動作状態図である。
【図１３】下方向の左右回転によるガイド突起の移動状態を説明する概略的な動作状態図である。
【図１４】本考案の第４の実施例に係る高さ調節が可能な容器の分解斜視図である。
【図１５】本考案の第４の実施例に係る高さ調節が可能な容器の結合斜視図である。
【図１６】本考案の第４の実施例に係る高さ調節が可能な容器の結合断面図である。
【図１７】本考案の第５の実施例に係る高さ調節が可能な容器が多段に結合された状態を説明するための図である。
【考案を実施するための形態】
【００３９】
以下、添付の図面を参照して本考案の望ましい実施例をより詳しく説明するが、本考案はこれらの実施例により限定されるものではない。
【００４０】
図１は、本考案の第１の実施例に係る高さ調節が可能な容器の分解斜視図であり、図２は、本考案の第１の実施例に係る高さ調節が可能な容器の結合斜視図であり、図３は、本考案の第１の実施例に係る高さ調節が可能な容器の結合断面図であり、便宜上一緒に説明する。
【００４１】
図１〜図３を参照すると、本考案の第１の実施例に係る高さ調節が可能な容器１は、各種食べ物や食材などを収納して保管するための容器をその用途に応じて高低を選択的に可変させて使用することにより実現される。ここで、高低は、下胴体部である第１の胴体部１０が上胴体部である第２の胴体部２０に挿入された全体の長さと定義する。このような容器１は、外側に上下方向に沿って順次対称に傾斜する形態で配列される複数のガイド溝１４及び前記各ガイド溝１４と水平に連結され、上下に交互に配置される複数の固定溝１６を含む高さ調節部１２を有する下胴体部である第１の胴体部１０及び前記第１の胴体部１０の外側に結合され、前記各ガイド溝１４に沿ってガイドされるガイド突起２２を備える上胴体部である第２の胴体部２０を含んでなり、前記第２の胴体部２０のガイド突起２２が前記複数の固定溝１６のうちいずれかに選択的に固定されることにより容器全体の高低が調節される。
【００４２】
即ち、本考案の特徴は、前記第２の胴体部２０のガイド突起２２が上下方向に沿って順次対称に傾斜する形態で配列される複数のガイド溝１４に沿って左右密着回転にガイドされ、各ガイド溝１４の水平端部から交互に対称になるように配列された複数の固定溝１６のうちいずれかの固定溝１６に固定されることによって、第１の胴体部１０及び第２の胴体部２０が相互に結合されて高低の調節が可能な構造を有するようになる。
【００４３】
このように、第１の実施例に係る高さ調節が可能な容器１は、高低調節のとき、第１の胴体部１０と第２の胴体部２０とを相互にジグザグ状に両方向に分割して徐々に左右に回転できるようにすることで、高さ調節の操作が容易であるのみでなく、容器１の高低の調節がジグザグ状の反復的な左右密着回転によって徐々に行われるため、容器１の内部の垂直的な加圧力の影響を減ることができ、急な外圧によって容器１の高さが急に低くならないようにする効果がある。
【００４４】
又、第１の胴体部１０又は第２の胴体部２０に垂直圧力が加えられて容器１の高低が調節されるとき、ガイド突起２２が傾斜するように形成されたガイド溝１４に沿って移動するため、ガイド突起２２とガイド溝１４間に摩擦力が発生して前記垂直圧力が前記摩擦力によって一定部分が相殺されるので、容器１の高さが任意に急激に変更されないようにする効果がある。
【００４５】
下胴体部である第１の胴体部１０は、上部が開放され、下部に底面１０ａを有する円筒形状であり、外周面には少なくとも１つの高さ調節部１２が形成され、例えば、図示したように、１２０度の円周方向に対向するように配置される３つの高さ調節部１２が形成されることが望ましい。ここで、図示した例では、１２０度の円周方向に３つの高さ調節部１２が形成されることを示しているが、円周方向に対向するように配置される２つ又は４つの高さ調節部も可能であり、本考案においてその数は限定されない。
【００４６】
上述した高さ調節部１２は、第１の胴体部１０の外側に上下方向に沿って順次対称に傾斜する形態で配列される複数のガイド溝１４及び前記各ガイド溝１４の外側方向に一体に連結され、上下に交互に配置される固定溝１６を含む。相互隣接するガイド溝１４と固定溝１６は、鈍角、例えば１２０度に連結することができ、全体的に複数のガイド溝１４及び固定溝１６が横方向に横にした「Ｙ」字状のジグザグに上下に繰り返し配列することができる。ここで、ガイド溝１４と固定溝１６との間の連結角度は、設計過程でいくらでも変更することが可能である。そして、高さ調節部１２は、陽刻状に形成することができるが、場合によっては陰刻状に形成することもできる。
【００４７】
前記複数のガイド溝１４のうち最下側のガイド溝１４は、垂直ガイド溝１５に連通されて第１の胴体部１０の底面１０ａまで延長することができる。したがって、第１の胴体部１０が第２の胴体部２０に挿入されるとき、ガイド突起２２は垂直ガイド溝１５の端部に挿入される。
【００４８】
上述したガイド溝１４及び固定溝１６は、その幅が約５ｍｍ程度が望ましいが、本考案においてその幅の寸法は様々に変更することが可能であることは勿論である。
【００４９】
上述した上胴体部である第２の胴体部２０は、上下部が開放された円筒形状であって、その内周面の直径が第１の胴体部１０の外周面の直径よりも大きく形成されるが、実際に第１の胴体部１０及び第２の胴体部２０の結合のときは、陽刻状に形成されたガイド溝１４及び固定溝１６によって密着状態を維持することができる。前記第２の胴体部２０の内周面には、前記第１の胴体部１０の３対の高さ調節部１２内で左右に密着流動が可能な３対のガイド突起２２が１２０度の円周方向に下端部に突出形成される。
【００５０】
なお、図２に示すように、ガイド溝１４、垂直ガイド溝１５及び固定溝１６の断面形状は、第２の胴体部２０方向に行くほどその幅が狭くなる形状に形成され、ガイド突起２２の断面形状は、第１の胴体部１０方向に行くほどその幅が広くなる形状に形成され、これらが結合した後はくさび形状になり簡単に分離したり抜けないようにする効果がある。
【００５１】
なお、ガイド突起２２がガイド溝１４から固定溝１６にガイドされるとき、前記固定溝１６には、前記ガイド突起２２の移動を制限するためにストッパー（図示せず）を突出形成することができる。前記ストッパーは、ガイド溝１４と遠くに位置した固定溝１６の端部からガイド溝１４方向に離隔された位置に突出形成される。そして、ガイド突起２２がガイド溝１４から固定溝１６の端部方向にガイドされるとき、前記ストッパーを強制的に通過するようにして、固定溝１６の端部に位置したガイド突起２２は別の外部圧力がない場合、その移動が制限される。
【００５２】
そして、前記第１の胴体部１０の外周面の上端部側には、第２の胴体部２０と当接する地点を堅固に密閉させて真空状態を維持できるようにゴムリング状のパッキング１８をパッキング設置溝１９内に固定することができる。ここで、前記パッキング設置溝１９は、最上側のガイド溝１４及び固定溝１６よりも上側に位置するが、場合によっては、第１の胴体部１０の外周面の下端部に位置することもできることは勿論である。
【００５３】
前記ゴムリング状のパッキング１８は、高さ調節のときに、第２の胴体部２０の内面に付着している内容物を拭き取ることによって、第２の胴体部２０の内面に付いている内容物が外部に漏れることを防止するのみでなく、前記ゴムリング状のパッキング１８が第１の胴体部１０と第２の胴体部２０との間に密着され、第２の胴体部２０のガイド突起２２が高さ調節溝１２のガイド溝１４及び固定溝１６において、意図せず左右に回転したり急上昇又は急降下することを防止することができる。又、パッキング設置溝１９を備えなくてもパッキング１８を第１の胴体部１０の外周面の下側又は上側に装着することもできる。
【００５４】
一方、図示した例では、高さ調節部１２が第１の胴体部１０の外側に形成されたことを示しているが、本考案はこれに限定されなく、場合によって高さ調節部１２は、第１の胴体部１０の内側に陽刻状又は陰刻状に形成することができることは勿論である。この場合、第２の胴体部２０は、第１の胴体部１０の内側に挿入されるように、その外周面の直径が第１の胴体部１０の内周面の直径よりも小さく形成され、ガイド突起２２は、第２の胴体部２０の外周面に形成することができる。この際、パッキング設置溝１９は、第２の胴体部２０の外側下端部に配置してパッキング１８を第２の胴体部２０の外側下端部に備えることができる。又、パッキング設置溝１９は、第２の胴体部２０の外側上端部に位置することもできることは勿論であり、パッキング設置溝１９を備えなくてもパッキング１８を第２の胴体部１０の外周面の下側又は上側に装着することもできる。
【００５５】
そして、第２の胴体部２０の上端には、容器の内部を密閉させる容器蓋３０を結合することができる。より具体的には、前記第２の胴体部２０の上端外周面には、前記容器蓋３０の結合のためのねじ山２４が形成され、前記容器蓋３０は、略ディスク形状を有する胴体部の下面の縁部に沿って前記第２の胴体部２０のねじ山２４と対応するように、その内周面にねじ山３２が形成された結合部３１を一体に構成することができる。しかしながら、本考案はこれに限定されるものではなく、容器蓋３０と第２の胴体部２０とは、弾性突起による結合構造によって締結されるなど、様々な締結方法により締結することができることは勿論である。
【００５６】
前記容器蓋３０の内周面の縁部には蓋パッキング３４が固定される安着溝３０ａが形成される。したがって、本考案は、蓋パッキング３４によって容器蓋３０と第２の胴体部２０とが密閉され、パッキング１８によって第２の胴体部２０と第１の胴体部１０との隙間が密閉されるので、高低が調節されながらも、内部を密閉して真空を形成することができ、真空密閉容器として優れた性能を有する。
【００５７】
一方、第１の胴体部１０及び第２の胴体部２０は、人体に無害な高分子樹脂又はガラス材料で製作することができる。一例として、高分子樹脂は、ポリエチレンテレフタレート（ＰＥＴ）、ポリカーボネート（ＰＣ）、又はシリコンのうちいずれかである。又、第１の胴体部１０及び第２の胴体部２０は、電子レンジなどで使用することができる耐熱性材質で構成することもでき、収納した内容物を外部から識別できるように耐熱性ガラスからなる透明又は半透明材質で製作することもできる。
【００５８】
図４〜図６は、本考案の第１の実施例に係る高さ調節が可能な容器の動作状態を示す図である。
【００５９】
先ず、図４に示すように、上胴体部である第２の胴体部２０のガイド突起２２を下胴体部である第１の胴体部１０の垂直ガイド溝１５の下側端部を介して挿入させて第１の胴体部１０と第２の胴体部２０とを結合させる。
【００６０】
続いて、図５に示すように、第２の胴体部２０のガイド突起２２を垂直ガイド溝１５に沿って少し垂直上昇させた後、上下に繰り返し配列された複数のガイド溝１４及び固定溝１６のうち最下側に位置する固定溝１６に位置するようにして、容器の体積（高さ）を最小化して使用することができる。つまり、シンク台や収納キャビネットなどの保管場所に容器をより効率的に保管することができるようになる。
【００６１】
次に、図６に示すように、本考案の第１の実施例に係る高さ調節が可能な容器１に多量の食べ物や食材などを入れて保管するときには、第２の胴体部２０（又は第１の胴体部１０）を時計回りと反時計回りに１回ずつ交差して左右に密着して回転させ、第２の胴体部２０のガイド突起２２をガイド溝１４及び固定溝１６に沿って継続的に上昇させて、第１の胴体部１０の高さ調節部１２の最上側に位置した固定溝１６に位置するようにして当該容器の体積が最大化されるようにする。
【００６２】
勿論、当該容器１に収納された各種食べ物や食材などが飲食などによってその量が減った場合は、第２の胴体部２０のガイド突起２２を複数のガイド溝１４及び固定溝１６に沿って順次下方向に左右に密着回転させて交互に上下に配列された複数の固定溝１６に順次下方に移動して結合することにより、当該容器の内部の高さを段階的に減らすことができるようになる。
【００６３】
このように、本考案は、第１の胴体部１０と第２の胴体部２０とを左右に回転させて容器１の高低が調節されるように構成されるため、例えば、第２の胴体部２０に急な下方圧力が加えられる場合、第２の胴体部２０は、第１の胴体部１０の順次対称に傾斜するガイド溝１４に沿って時計回りと反時計回りに１回ずつ交差して左右に回転しながら下降しなければならないため、容器１の高さが速い速度で変更されなく、容器１の高さが任意に急激に変更されないようにする効果がある。
【００６４】
又、第１の胴体部１０又は第２の胴体部２０に垂直圧力が加えられて容器１の高低が調節されるとき、ガイド突起２２が傾斜するように形成されたガイド溝１４に沿って移動するため、ガイド突起２２とガイド溝１４間に摩擦力が発生して前記垂直圧力が前記摩擦力によって一定部分が相殺されるので、容器１の高さが任意に急激に変更されないようにする効果がある。
【００６５】
図７は、本考案の第２の実施例に係る高さ調節が可能な容器の分解斜視図である
図７に示すように、本考案の第２の実施例に係る高さ調節が可能な容器１００では、第１の胴体部１０の外側に上下方向に沿って順次対称に傾斜する形態で配列される複数のガイド溝１４及び前記各ガイド溝１４と水平に連結され、上下に交互に配置される複数の固定溝１６を含んでなる高さ調節部１２が陰刻状に第１の胴体部１０に凹設される点を除いては、本考案の第１の実施例に係る図１に示した高さ調節が可能な容器１０と実質的に同一である。
【００６６】
このように、第１の胴体部１０の高さ調節部１２が陰刻状に凹設されて形成されているので、第１の胴体部１０と第２の胴体部２０間の密着力がより一層良くなり真空密閉容器としてより優れた性能を有するようになる。
【００６７】
一方、図示した例では、上述した複数のガイド溝１４、複数の垂直ガイド溝１５及び固定溝１６からなるジグザグ状の高さ調節部１２が第１の胴体部１０の外側に陰刻状に凹設されることを示しているが、第１の胴体部１０の内側に陰刻状に形成することができることは勿論である。
【００６８】
図８は、本考案の第３の実施例に係る高さ調節が可能な容器の分解斜視図であり、図９は、本考案の第３の実施例に係る高さ調節が可能な容器の結合斜視図であり、図１０は、本考案の第３の実施例に係る高さ調節が可能な容器の結合断面図である。
【００６９】
図８〜図１０に示すように、本考案の第３の実施例に係る高さ調節が可能な容器２００では、下胴体部である第１の胴体部１０と上胴体部である第２の胴体部２０との間に中間胴体部１０Ａを介在して全体的に垂直の３段胴体部で形成することにより、容器の全体の高さをより大きく調節することができる点を除いては、本考案の第１の実施例に係る図１に示した高さ調節が可能な容器１と実質的に同一である。
【００７０】
勿論、図示した例では、垂直の３段胴体部１０、１０Ａ、２０を示しているが、垂直の４段以上の複数の胴体部で形成することができ、本考案においてその数は限定されない。
【００７１】
図示したように、下胴体部である第１の胴体部１０は、外側に上下方向に沿って順次対称に傾斜する形態で配列される複数のガイド溝１４及び前記各ガイド溝１４と水平に連結され、上下に交互に配置される複数の固定溝１６を含む高さ調節部１２を有し、これは、図１に示した高さ調節が可能な容器１の第１の胴体部１０と実質的に同一である。勿論、前記複数のガイド溝１４のうち最下側のガイド溝１４は垂直ガイド溝１５に連通される。
【００７２】
前記中間胴体部１０Ａは、その内周面の下側に少なくとも１つの中間突起２２Ａが円周方向に下端部に突出形成され、その外側に上下方向に沿って順次対称に傾斜する形態で配列される複数のガイド溝１４Ａ及び前記各ガイド溝１４Ａと水平に連結され、上下に交互に配置される複数の固定溝１６Ａを含む少なくとも１つの中間調節部１２Ａが円周方向に対向して配置される。又、前記複数のガイド溝１４Ａのうち最下側のガイド溝１４Ａは垂直ガイド溝１５Ａに連通される。
【００７３】
なお、上胴体部である第２の胴体部２０の内周面には、中間胴体部１０Ａの中間調節部１２Ａ内で左右に密着流動が可能なガイド突起２２が円周方向に下端部に突出形成される。
【００７４】
したがって、中間胴体部１０Ａの内周面の下側に形成された中間突起２２Ａは、第１の胴体部１０の外周面に形成された高さ調節部１２内で左右に密着回転が可能であるため、第１の胴体部１０及び中間胴体部１０Ａの高低の調節が可能であり、上胴体部である第２の胴体部２０の内周面の下側に形成されたガイド突起２２は、中間胴体部１０Ａの外周面に形成された中間調節部１２Ａ内で左右に密着回転が可能であるため、第１の胴体部２０と中間胴体部１０Ａの高低の調節が可能になり、３段胴体部の高さ調節が可能になる。
【００７５】
図１１は、本考案の第３の実施例に係る高さ調節が可能な容器のガイド溝、垂直ガイド溝及び固定溝の様々な断面形状を示す例示図である。
【００７６】
先ず、図１１（ａ）に示すように、ガイド溝１４、垂直ガイド溝１５及び固定溝１６の断面形状は、第２の胴体部方向に行くほどその幅が広くなる形状であり、これらに係合される第２の胴体部２０のガイド突起２２の断面形状は、第１の胴体部１０方向に行くほどその幅が狭くなる形状に構成される。
【００７７】
これにより、ガイド溝１４、垂直ガイド溝１５及び固定溝１６の断面形状は、第２の胴体部２０方向に行くほどその幅が狭くなる形状に形成され、ガイド突起２２の断面形状は、第１の胴体部方向に行くほどその幅が広くなる形状に形成される前記図２の例と比較して第１の胴体部１０と第２の胴体部２０の分離後に洗浄がより容易となる利点がある。
【００７８】
又、図１１（ｂ）に示すように、ガイド突起２２、ガイド溝１４、垂直ガイド溝１５及び固定溝１６の断面形状が上下同一型であるか、又は、図１１（ｃ）及び図１１（ｄ）に示すように、ガイド突起２２の端部にくさび形突起が形成され、ガイド溝１４、垂直ガイド溝１５及び固定溝１６の端部にくさび形溝が形成された結合型も可能である。
【００７９】
勿論、図１１（ｅ）に示すように、例えば、ガイド突起２２が壺状の円筒突起型も可能である。
【００８０】
つまり、本考案に係るガイド突起２２、ガイド溝１４、垂直ガイド溝１５及び固定溝１６の断面形状は、様々に形成することが可能であり、ガイド突起２２の断面形状が結合突起形状であり、ガイド溝１４、垂直ガイド溝１５及び固定溝１６の断面形状が結合溝形状となって、結合後に簡単に分離されたり抜けないようにできるものであれば、その形状は本考案に限定されないことは勿論である。
【００８１】
図１２及び図１３は、それぞれ上方向の左右回転及び下方向の左右回転によるガイド突起の移動状態を説明する概略的な動作状態図である。
【００８２】
図１２及び図１３に示すように、複数のガイド溝１４及び固定溝１６の下側を連結する下側連結部１７ａと複数のガイド溝１４及び固定溝１６の上側に連結する上側連結部１７ｂは、垂直方向に対して一直線形状になるのではなく、下側連結部１７ａは、上側連結部１７ｂよりも垂直方向を基準にガイド溝１４と近くなるようにより内側に形成されている（幅（ｄ）参照）。
【００８３】
したがって、図１２に示すように、上方向への左右回転時には、下側連結部１７ａが上側連結部１７ｂよりもより内側に形成され、ガイド突起２２が複数の傾斜したガイド溝１４に沿ってより容易に移動され、当該容器の高さをすぐ容易に伸ばすことができるようになる。
【００８４】
逆に、図１３に示すように、下方向への左右回転時には、ガイド突起２２が傾斜したガイド溝１４に沿って下降し下側連結部１７ａの上面側により支持されながらすぐに下方に移動するというより、隣接する固定溝１６の内側にガイドされやすい構造により、下方向への移動が図１２における上方向への移動に比べてより難しくなっていて、下方向への移動が固定溝１６において若干クリックストップ（ｃｌｉｃｋ-ｓｔｏｐ）式で制限される。
【００８５】
勿論、図示した例では、下側連結部１７ａが上側連結部１７ｂよりもより内側に形成されていることを示しているが、上側連結部１７ｂが下側連結部１７ａよりもより内側に形成されることもある。即ち、上側連結部１７ｂが下側連結部１７ａよりも垂直方向を基準にガイド溝１４と近くなるように、より内側に形成されることもある。この場合には、図１２及び図１３と反対に下方向の左右回転が上方向の左右回転よりもより容易に行われるようになる。
【００８６】
図１４は、本考案の第４の実施例に係る高さ調節が可能な容器の分解斜視図であり、図１５は、本考案の第４の実施例に係る高さ調節が可能な容器の結合斜視図であり、図１６は、本考案の第４の実施例に係る高さ調節が可能な容器の結合断面図である。
【００８７】
図１４〜図１６を参照すると、本考案の第４の実施例に係る高さ調節が可能な容器２では、下胴体部である第１の胴体部１０と、上胴体部である第２の胴体部２０とを備え、第２の胴体部２０の上端部に結合される容器蓋３０が、第１の実施例とは異なるように構成される。
【００８８】
容器蓋３０は、第２の胴体部２０の上端部をカバーするように形成され、その外周縁に沿ってその外側に延長される複数の結合案内部３６が形成される。結合案内部３６は、後述する結合突出部２５方向に移動可能に形成される。そして、第２の胴体部２０の上端外周縁には、複数の結合突出部２５が突出形成され、容器蓋３０の結合案内部３６には、前記結合突出部２５が挿入されるように結合案内孔３６ａが形成される。そして、結合案内部３６が結合突出部２５方向に移動すると、前記結合案内孔３６ａに前記結合突出部２５が挿入結合される。そして、容器蓋３０の内周面の縁部には蓋パッキング３９が備えられ、容器蓋３０と第２の胴体部２０との間の隙間が密閉される。
【００８９】
なお、容器蓋３０の上面には、ゴムなど水密材料の補助キャップ３８をさらに備えることができる。このため、容器蓋３０の上面に凹部３７が形成され、凹部３７に貫通孔３７ａが形成される。そして、補助キャップ３８が凹部３７に挿入され、この時、補助キャップ３８には、前記貫通孔３７ａに挿入される密閉突起３８ａが突出形成されて貫通孔３７ａを密閉させる。そして、容器蓋３０を開放しない状態で補助キャップ３８を開けると、貫通孔３７ａが外部に露出され容器２内部の内容物が貫通孔３７ａを通じて外部に排出されるようになる。
【００９０】
なお、第１の胴体部１０及び第２の胴体部２０との間の高低を調節するとき、容器蓋３０を開放しない状態では容器２の内部が密閉されて高さを調節しにくい。そこで本考案は、容器蓋３０に補助キャップ３８を備え、容器蓋３０を開放する手間が要らず、補助キャップ３８を開けると、容器２の内部の密閉状態が解除され、容器２の高さを容易に調節することができる効果がある。
【００９１】
なお、容器蓋３０の上面の縁部には、第１結合部３５が形成され、第１の胴体部１０の下面の縁部には、第２結合部１０ｂ及び結合突部１０ｃを形成することができ、これは下記図１７を参照して説明する。
【００９２】
図１７は、本考案の第５の実施例に係る高さ調節が可能な容器が多段に結合された状態を説明するための図である。
【００９３】
図１７を参照すると、高さ調節が可能な容器２’は、相互結合された第１の胴体部１０と第２の胴体部２０と容器蓋３０の上部に相互結合された第３の胴体部１０’と第４の胴体部２０’とサブ蓋３０’が多段に結合される。この時、容器蓋３０の第１の結合部３５は、第３の胴体部１０’の第２の結合部１０ｂ’に係止結合することができる。ここで、第３の胴体部１０’、第４の胴体部２０’及びサブ蓋３０’の形状及び機能は、第１の胴体部１０、第２の胴体部２０及び容器蓋３０と同一であるので、その詳細な構造についての説明は省略する。一方、第３の胴体部１０’及び第４の胴体部２０’の長さは、場合によって多様に形成することも、複数で構成することもできるので、本考案においてその数は限定されない。
【図１】
0003211582.tif 000003
【図２】
0003211582.tif 000004
【図３】
0003211582.tif 000005
【図４】
0003211582.tif 000006
【図５】
0003211582.tif 000007
【図６】
0003211582.tif 000008
【図７】
0003211582.tif 000009
【図８】
0003211582.tif 000010
【図９】
0003211582.tif 000011
【図１０】
0003211582.tif 000012
【図１１（ａ）】
0003211582.tif 000013
【図１１（ｂ）】
0003211582.tif 000014
【図１１（ｃ）】
0003211582.tif 000015
【図１１（ｄ）】
0003211582.tif 000016
【図１１（ｅ）】
0003211582.tif 000017
【図１２】
0003211582.tif 000018
【図１３】
0003211582.tif 000019
【図１４】
0003211582.tif 000020
【図１５】
0003211582.tif 000021
【図１６】
0003211582.tif 000022
【図１７】
0003211582.tif 000023